(57)【要約】  端末が効率的に干渉信号に関する情報を知り、受信処理で干渉を軽減することによってスループットの向上や端末からのフィードバックによる各端末装置の通信機会の向上が可能な基地局装置、端末装置および通信方法を提供すること。マルチユーザ重畳伝送（ＭＵＳＴ）に関するアシスト情報を前記端末装置に送信する送信部を備え、前記アシスト情報は、ＭＵＳＴされている各々の端末装置がされているプリコーディングが同じか異なるかを示す情報を含み、前記プリコーディングが同じか異なるかを示す情報が同じを示す場合、ＭＵＳＴされる各々の端末装置に対して異なる電力比で送信電力を割当て、前記プリコーディングが同じか異なるかを示す情報が異なるを示す場合、ＭＵＳＴされる各々の端末装置に対して同じ電力比で送信電力を割当てる。
2017051660.tif 000002
【特許請求の範囲】
【請求項１】
端末装置と通信する基地局装置であって、
マルチユーザ重畳伝送（ＭＵＳＴ）に関するアシスト情報を前記端末装置に送信する送信部を備え、
前記アシスト情報は、ＭＵＳＴされている各々の端末装置がされているプリコーディングが同じか異なるかを示す情報を含み、
前記プリコーディングが同じか異なるかを示す情報が同じを示す場合、ＭＵＳＴされる各々の端末装置に対して異なる電力比で送信電力を割当て、前記プリコーディングが同じか異なるかを示す情報が異なるを示す場合、ＭＵＳＴされる各々の端末装置に対して同じ電力比で送信電力を割当てる、
基地局装置。
【請求項２】
前記プリコーディングが同じか異なるかを示す情報が異なるを示す場合、ＭＵＳＴされる各々の端末装置を異なるアンテナポートから送信する、
請求項１に記載の基地局装置。
【請求項３】
基地局装置と通信する端末装置であって、
マルチユーザ重畳伝送（ＭＵＳＴ）に関するアシスト情報を前記基地局装置から受信する受信部を備え、
前記アシスト情報は、ＭＵＳＴされている各々の端末装置がされているプリコーディングが同じか異なるかを示す情報を含み、
前記プリコーディングが同じか異なるかを示す情報が同じを示す場合、ＭＵＳＴされる各々の端末装置は異なる電力比で送信電力が割当てられていると判断し、前記プリコーディングが同じか異なるかを示す情報が異なるを示す場合、ＭＵＳＴされる各々の端末装置は同じ電力比で送信電力を割当てられていると判断し、受信信号を復調する、
端末装置。
【請求項４】
前記プリコーディングが同じか異なるかを示す情報が異なるを示す場合、ＭＵＳＴされる各々の端末装置は異なるアンテナポートから送信されていると判断し、受信信号を復調する、
請求項３に記載の端末装置。
【請求項５】
端末装置と通信する基地局装置における通信方法であって、
マルチユーザ重畳伝送（ＭＵＳＴ）に関するアシスト情報を前記端末装置に送信するステップを備え、
前記アシスト情報は、ＭＵＳＴされている各々の端末装置がされているプリコーディングが同じか異なるかを示す情報を含み、
前記プリコーディングが同じか異なるかを示す情報が同じを示す場合、ＭＵＳＴされる各々の端末装置に対して異なる電力比で送信電力を割当て、前記プリコーディングが同じか異なるかを示す情報が異なるを示す場合、ＭＵＳＴされる各々の端末装置に対して同じ電力比で送信電力を割当てる、
通信方法。
【請求項６】
基地局装置と通信する端末装置における通信方法であって、
マルチユーザ重畳伝送（ＭＵＳＴ）に関するアシスト情報を前記基地局装置から受信するステップを備え、
前記アシスト情報は、ＭＵＳＴされている各々の端末装置がされているプリコーディングが同じか異なるかを示す情報を含み、
前記プリコーディングが同じか異なるかを示す情報が同じを示す場合、ＭＵＳＴされる各々の端末装置は異なる電力比で送信電力が割当てられていると判断し、前記プリコーディングが同じか異なるかを示す情報が異なるを示す場合、ＭＵＳＴされる各々の端末装置は同じ電力比で送信電力を割当てられていると判断し、受信信号を復調する、
通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、eNodeB）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。【０００３】
近年では、システム容量の増大や通信機会の向上のために、複数の端末装置を非直交多重して送信する技術や重畳符号化に基づくマルチユーザ伝送の検討が進められている。基地局装置で複数の端末装置を非直交多重して送信するため、ユーザ間干渉が生じる。従って、端末装置はユーザ間干渉を除去または抑圧する必要がある。上記のことは非特許文献１に記載されている。ユーザ間干渉をキャンセルする技術としては、例えば、干渉信号を干渉除去する干渉キャンセラや最尤検出（Maximum Likelihood Detection）等がある。
【先行技術文献】
【非特許文献】
【０００４】
【非特許文献１】“Study on Downlink Multiuser Superposition Transmission for LTE、”  ３ＧＰＰ  ＴＳＧ  ＲＡＮ  Ｍｅｅｔｉｎｇ  ＃６７、２０１５年３月。
【発明の概要】
【発明が解決しようとする課題】
【０００５】
しかしながら、端末装置でユーザ間干渉を除去または抑圧するためには、端末装置は、干渉信号を復調／復号するためのパラメータ等、干渉信号に関する情報を知る必要がある。また、端末装置がユーザ間干渉を除去または抑圧するためには、基地局が適切に非直交多重する端末を決定する必要があるため、端末が基地局にチャネルの情報を通知する必要がある。【０００６】
本発明はこのような事情を鑑みてなされたものであり、その目的は、端末が効率的に干渉信号に関する情報を知り、受信処理で干渉を軽減することによってスループットの向上や端末からのフィードバックによる各端末装置の通信機会の向上が可能な基地局装置、端末装置および通信方法を提供することにある。
【課題を解決するための手段】
【０００７】
上述した課題を解決するために本発明の一態様に係る基地局装置、端末装置および通信方法の構成は、次の通りである。【０００８】
本発明の一態様に係る端末装置は、基地局装置と通信する端末装置であって、チャネル状態情報（CSI）報告に関する設定情報を前記基地局装置から受信する受信部と、前記基地局装置に少なくともチャネル品質指標を送信する送信部と、を備え、前記設定情報に、所定の報告モードが含まれている場合、最も好適なプリコーディング行列指標および該プリコーディング行列に基づくチャネル品質指標、および、２番目に好適なプリコーディング行列指標および該プリコーディング行列に基づくチャネル品質指標を送信する。【０００９】
本発明の一態様に係る端末装置において、前記所定の報告モードは、不定期のＣＳＩ報告に対して設定される。【００１０】
本発明の一態様に係る端末装置において、前記設定情報にサブバンド毎の好適なプリコーディング行列に基づくチャネル品質指標の報告を要求する報告モードが含まれている場合と、前記設定情報にサブバンド毎の最も好適なプリコーディング行列に基づくチャネル品質指標およびサブバンド毎の２番目に好適なプリコーディング行列に基づくチャネル品質指標の報告を求める報告モードが含まれる場合とで、異なるサブバンドサイズで前記チャネル品質指標を算出する。【００１１】
本発明の一態様に係る端末装置において、前記サブバンドサイズは、サブバンドの帯域幅である。【００１２】
本発明の一態様に係る基地局装置は、端末装置と通信する基地局装置であって、チャネル状態情報（CSI）報告に関する設定情報を前記端末装置に送信する送信部と、前記端末装置から少なくともチャネル品質指標を受信する受信部と、を備え、前記設定情報に、所定の報告モードを含める場合、最も好適なプリコーディング行列指標および該プリコーディング行列に基づくチャネル品質指標、および、２番目に好適なプリコーディング行列指標および該プリコーディング行列に基づくチャネル品質指標を受信する。【００１３】
本発明の一態様に係る基地局装置において、前記所定の報告モードは、不定期のＣＳＩ報告に対して設定する。【００１４】
本発明の一態様に係る基地局装置において、前記設定情報にサブバンド毎の好適なプリコーディング行列に基づくチャネル品質指標の報告を要求する報告モードを含める場合と、前記設定情報にサブバンド毎の最も好適なプリコーディング行列に基づくチャネル品質指標およびサブバンド毎の２番目に好適なプリコーディング行列に基づくチャネル品質指標の報告を求める報告モードを含める場合とで、異なるサブバンドサイズで算出されたチャネル品質指標を受信する。【００１５】
本発明の一態様に係る基地局装置において、前記サブバンドサイズは、サブバンドの帯域幅である。【００１６】
本発明の一態様に係る通信方法は、基地局装置と通信する端末装置における通信方法であって、チャネル状態情報（CSI）報告に関する設定情報を前記基地局装置から受信する受信部と、前記基地局装置に少なくともチャネル品質指標を送信する送信ステップと、を備え、前記設定情報に、所定の報告モードが含まれている場合、最も好適なプリコーディング行列指標および該プリコーディング行列に基づくチャネル品質指標、および、２番目に好適なプリコーディング行列指標および該プリコーディング行列に基づくチャネル品質指標を送信する。【００１７】
本発明の一態様に係る通信方法は、基地局装置と通信する端末装置であって、チャネル状態情報（CSI）報告に関する設定情報を前記端末装置に送信する送信部と、前記端末装置から少なくともチャネル品質指標を受信する受信ステップと、を備え、前記設定情報に、所定の報告モードを含める場合、最も好適なプリコーディング行列指標および該プリコーディング行列に基づくチャネル品質指標、および、２番目に好適なプリコーディング行列指標および該プリコーディング行列に基づくチャネル品質指標を受信する。
【発明の効果】
【００１８】
本発明の一態様によれば、干渉信号を軽減することができ、スループットや端末装置の通信機会を向上させることができる。
【図面の簡単な説明】
【００１９】
【図１】本実施形態に係る通信システムの例を示す図である
【図２】本実施形態に係るアンテナポート、スクランブリングアイデンティティおよびレイヤ数の一例を示すテーブル
【図３】本実施形態に係るアンテナポート、スクランブリングアイデンティティおよびレイヤ数の一例を示すテーブル
【図４】本実施形態に係るアンテナポート、スクランブリングアイデンティティおよびレイヤ数の一例を示すテーブル
【図５】本実施形態に係る基地局装置の構成例を示すブロック図である
【図６】本実施形態に係る端末装置の構成例を示すブロック図である
【発明を実施するための形態】
【００２０】
本実施形態における通信システムは、基地局装置（送信装置、セル、サービングセル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２２】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００２３】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２４】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００２５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）等が該当する。
【００２６】
前記チャネル品質指標ＣＱＩは（以下、CQI値）、所定の帯域（詳細は後述）における好適な変調方式（例えば、QPSK、16QAM、64QAM、256QAM等）、符号化率（coding rate）とすることができる。ＣＱＩ値は、前記変更方式や符号化率により定められたインデックス（CQI Index）とすることができる。前記ＣＱＩ値は、予め当該システムで定めたものをすることができる。
【００２７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２９】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００３０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３１】
ＰＲＡＣＨは、ランダムアクセスプリアンブルを送信するために用いられる。
【００３２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３４】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel: 報知チャネル）
・ＰＣＦＩＣＨ（Physical Control Format Indicator Channel: 制御フォーマット指示チャネル）
・ＰＨＩＣＨ（Physical Hybrid automatic repeat request Indicator Channel: HARQ指示チャネル）
・ＰＤＣＣＨ（Physical Downlink Control Channel: 下りリンク制御チャネル）
・ＥＰＤＣＣＨ（Enhanced Physical Downlink Control Channel: 拡張下りリンク制御チャネル）
・ＰＤＳＣＨ（Physical Downlink Shared Channel: 下りリンク共有チャネル）
【００３５】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００３６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３７】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３９】
例えば、下りリンクに対するＤＣＩフォーマットには、ＰＤＳＣＨのリソース割当てに関する情報、ＰＤＳＣＨに対するＭＣＳ（Modulation and Coding Scheme）に関する情報、ＰＵＣＣＨに対するＴＰＣコマンド等の下りリンク制御情報が含まれる。ここで、下りリンクに対するＤＣＩフォーマットを、下りリンクグラント（または、下りリンクアサインメント）とも称する。
【００４０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４１】
例えば、上りリンクに対するＤＣＩフォーマットには、ＰＵＳＣＨのリソース割当てに関する情報、ＰＵＳＣＨに対するＭＣＳに関する情報、ＰＵＳＣＨに対するＴＰＣコマンド等上りリンク制御情報が含まれる。上りリンクに対するＤＣＩフォーマットを、上りリンクグラント（または、上りリンクアサインメント）とも称する。
【００４２】
また、上りリンクに対するＤＣＩフォーマットは、下りリンクのチャネル状態情報（CSI: Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）等が該当する。
【００４３】
また、上りリンクに対するＤＣＩフォーマットは、端末装置が基地局装置にフィードバックするチャネル状態情報報告（CSI feedback report）をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４４】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告または前記不定期的なチャネル状態情報報告のいずれかを設定することができる。また、基地局装置は、前記定期的なチャネル状態情報報告および前記不定期的なチャネル状態情報報告の両方を設定することもできる。
【００４５】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えば、Wideband CQI）と狭帯域ＣＳＩ（例えば、Subband CQI）等がある。
【００４６】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４７】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４８】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４９】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５０】
ここで、ＲＲＣメッセージおよび／またはＭＡＣ  ＣＥを、上位層の信号（higher layer signaling）とも称する。
【００５１】
また、ＰＤＳＣＨは、下りリンクのチャネル状態情報を要求するために用いることができる。また、ＰＤＳＣＨは、端末装置が基地局装置にフィードバックするチャネル状態情報報告（CSI feedback report）をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５２】
下りリンクのチャネル状態情報報告の種類は広帯域ＣＳＩ（例えば、Wideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００５３】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５４】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５５】
ここで、下りリンク参照信号には、ＣＲＳ（Cell-specific Reference Signal: セル固有参照信号）、ＰＤＳＣＨに関連するＵＲＳ（UE-specific Reference Signal: 端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５６】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５７】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５８】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００５９】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００６０】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６１】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理等が行なわれる。
【００６２】
基地局装置は、時間、周波数および空間（例えば、アンテナポート、ビームパターン、プリコーディングパターン）でリソースを分割することなく複数の端末装置を多重することができる。時間／周波数／空間でリソースを分割することなく複数の端末装置を多重することを、以下では非直交多重、マルチユーザ重畳送信（MUST: Multiuser Superposition Transmission）とも称する。以下では、２つの端末装置を非直交多重する場合を説明するが、本発明の一態様はこれに限らず、３つ以上の端末装置を非直交多重することも可能である。
【００６３】
基地局装置は非直交多重する複数の端末装置に対して、共通の端末装置固有参照信号を送信することができる。つまり、基地局装置は、複数の端末装置に対して、時間／周波数／空間で同じリソース、同じ参照信号系列を用いて参照信号を送信することができる。また、基地局装置は、所定の送信モードの場合に、ＭＵＳＴによる送信をすることができる。また、基地局装置は、所定の送信モードの場合に、ＭＵＳＴによる送信をしないとすることができる。言い換えると、端末装置は、設定された送信モードによって、ＭＵＳＴによる送信か否かを判断することができる。
【００６４】
図１の基地局装置１Ａが、端末装置２Ａと端末装置２Ｂを非直交多重する場合を例に説明する。特に断りがない限り、端末装置２Ａの方が端末装置２Ｂと比べて、基地局装置１Ａに近いまたは受信品質が良いとする。また、以下の説明では、端末装置２Ａに対するＰＤＳＣＨをＰＤＳＣＨ１（第１のＰＤＳＣＨ）、端末装置２Ｂに対するＰＤＳＣＨ（第２のＰＤＳＣＨ）とも称する。
【００６５】
基地局装置１Ａが端末装置２Ａ、２Ｂを非直交多重して送信する場合、いくつか送信方法がある。例えば、基地局装置１Ａは、端末装置２Ａ、２Ｂに対して、同じコンスタレーションのＱＰＳＫ／１６ＱＡＭ／６４ＱＡＭ／２５６ＱＡＭのマッピングを用いて重畳送信することができる。この場合、端末装置２Ａ、２Ｂを合成したコンスタレーションは非グレイ符号のコンスタレーションとなる。またこの場合、基地局装置１Ａは端末装置２Ａ、２Ｂに対して様々な比率の電力を割当てても良い。また、例えば、基地局装置１Ａは、端末装置２Ａ、２Ｂを合成したコンスタレーションがグレイ符号のコンスタレーションになるように、端末装置２Ａ、２Ｂに対して異なるコンスタレーションを用いて重畳送信することができる。またこの場合、基地局装置１Ａは端末装置２Ａ、２Ｂに対して様々な比率の電力を割当てても良い。また、例えば、基地局装置１Ａは、端末装置２Ａ、２Ｂ宛ての送信ビット列を既存のＱＰＳＫ／１６ＱＡＭ／６４ＱＡＭ／２５６ＱＡＭのコンスタレーションとなるようにマッピングして重畳送信することができる。またこの場合、基地局装置１Ａはマッピングするコンスタレーションに従って端末装置２Ａ、２Ｂの電力を割当てることができる。
【００６６】
基地局装置が複数の端末装置宛ての信号を非直交多重して送信した場合、ＰＤＳＣＨ１とＰＤＳＣＨ２は互いに干渉となる。この場合、少なくとも端末装置２Ａは、強い干渉信号を受信するため、干渉信号のハンドリング、除去または抑圧をする必要がある。このような干渉信号をマルチユーザ干渉、ユーザ間干渉、マルチユーザ伝送による干渉、同一チャネル干渉等と言う。干渉信号を除去または抑圧するためには、例えば、干渉信号の復調または復号結果から求められる干渉信号レプリカ信号を受信信号から減算する。干渉信号を除去または抑圧するためには、干渉信号の復調結果によって干渉除去を行なうＳＬＩＣ（Symbol Level Interference Cancellation）、干渉信号の復号結果によって干渉除去を行なうＣＷＩＣ（Codeword Level Interference Cancellation）、送信信号候補の中から最もそれらしいものを探索する最尤検出（MLD: Maximum Likelihood Detection）、干渉信号を線形演算によって抑圧するＥＭＭＳＥ−ＩＲＣ（Enhanced Minimum Mean Square Error-Interference Rejection Combining）等がある。
【００６７】
端末装置２Ａは、干渉信号の除去または抑圧に必要なパラメータを、基地局装置から受信もしくはブラインド検出によって検出することができる。端末装置２Ｂは、必ずしも干渉信号の除去または抑圧は必要としない。端末装置２Ｂが干渉キャンセルしない場合、干渉信号電力は比較的小さいため、端末装置２Ｂは、干渉信号に関するパラメータを知らなくても、自装置宛ての信号を復調することができる。つまり、基地局装置１Ａが端末装置２Ａおよび２Ｂを非直交多重する場合、端末装置２Ａは、非直交多重による干渉信号を除去または抑圧する機能を備える必要があるが、端末装置２Ｂは干渉除去または抑圧する機能を備えなくても良い。言い換えると、基地局装置１Ａは、非直交多重をサポートしている端末装置と非直交多重をサポートしていない端末装置を非直交多重することができる。また、別の言い方では、基地局装置１Ａは、異なる送信モードが設定されている端末装置を非直交多重することができる。従って、各端末装置の通信機会を向上させることができる。
【００６８】
基地局装置１Ａは、干渉となる端末装置（この例では端末装置２Ｂ）に関する情報（アシスト情報、補助情報、制御情報、設定情報）を、端末装置２Ａに対して送信する。基地局装置１Ａは、上位層の信号または物理層の信号（制御信号、PDCCH、EPDCCH）で、干渉となる端末装置に関する情報（MUSTアシスト情報、MUST情報）を送信することができる。
【００６９】
ＭＵＳＴアシスト情報には、ＰＡに関する情報、送信モード、端末固有参照信号の送信電力に関する情報、ＰＭＩ、サービングセルのＰＡに関する情報、サービングセルの端末固有参照信号の送信電力に関する情報、変調方式、ＭＣＳ（Modulation and Coding Scheme）、リダンダンシーバージョン、Ｃ（Cell）−ＲＮＴＩ（Radio Network Temporary Identifier）、ＳＰＳ（Semi-Persistent Scheduling）  Ｃ−ＲＮＴＩ、ＭＵＳＴ−ＲＮＴＩの一部または全部が含まれる。なお、ＰＡは、ＣＲＳが配置されていないＯＦＤＭシンボルにおけるＰＤＳＣＨとＣＲＳの送信電力比（電力オフセット）に基づく情報である。
【００７０】
また、送信モードに関する情報は、干渉信号の送信モードや基地局装置１Ａが設定できる（設定する可能性のある）送信モードの候補等、端末装置２Ａが干渉信号の送信モードを知る（検出する）ためのアシスト情報である。
【００７１】
また、上記のＭＵＳＴアシスト情報に含まれるパラメータの各々は、１つの値（候補、リスト）が設定されても良いし、複数の値（候補、リスト）が設定されても良い。複数の値が設定された場合は、端末装置は、そのパラメータについては、複数の値から干渉信号に設定されているパラメータを検出（ブラインド検出）する。また、上記のＭＵＳＴアシスト情報に含まれるパラメータの一部または全部は、上位層の信号で送信される。また、上記のＭＵＳＴアシスト情報に含まれるパラメータの一部または全部は、物理層の信号で送信される。 
【００７２】
また、ＭＵＳＴアシスト情報は、様々な測定を行なうときに用いられても良い。測定は、ＲＲＭ（Radio Resource Management）測定、ＣＳＩ（Channel State Information）測定を含む。
【００７３】
また、端末装置２Ａが複数のコンポーネントキャリア（CC: Component Carrier）を合わせて広帯域伝送を行なうキャリアアグリゲーション（Carrier Aggregation: CA）をサポートしている場合、基地局装置１Ａはプライマリセル（Primary Cell: PCell）および／またはセカンダリセル（Secondary Cell: SCell）に対するＭＵＳＴアシスト情報を設定することができる。また、基地局装置１Ａは、ＭＵＳＴアシスト情報をＰＣｅｌｌのみに対して設定または送信することもできる。
【００７４】
端末装置２Ａは、上位層の信号および／または物理層の信号で、ＭＵＳＴアシスト情報を受信し、ＭＵＳＴアシスト情報に基づいて、干渉信号を除去または抑圧するためのパラメータを検出（特定）し、前記パラメータを用いて干渉信号を除去または抑圧する。なお、端末装置２Ａは、ＭＵＳＴ情報に含まれていないパラメータについて、パラメータの候補を順に検出を試みるブラインド検出によって、検出することができる。
【００７５】
基地局装置１ＡはＭＵＳＴに対応する変調方式（またはMCS）の組合せを制限することができる。例えば、基地局装置１Ａは、端末装置２Ｂの変調方式を端末装置２Ａと同じか小さい変調方式とすることができる。例えば、基地局装置１Ａは、端末装置２Ａの変調方式が１６ＱＡＭの場合、端末装置２Ｂの変調方式を１６ＱＡＭ／ＱＰＳＫとすることができる。このようにすると、基地局装置１Ａが端末装置２Ａに端末装置２Ｂの変調方式を送信する場合、端末装置２Ａは、自身の変調方式から端末装置２Ｂの変調方式を知ることができたり、端末装置２Ｂの変調方式の候補を削減したりすることができる。また、基地局装置１Ａは、端末装置２Ａ、２ＢをＭＵＳＴで多重する場合、端末装置２Ｂの変調方式をＱＰＳＫで固定することもできる。この場合、基地局装置１Ａは端末装置２Ａに端末装置２Ｂの変調方式を知らせる必要はないため、制御情報量を削減できる。
【００７６】
基地局装置１Ａは、端末装置２Ａ、２Ｂの変調方式の組合せによって、電力割当てを設定することができる。例えば、基地局装置１Ａは、端末装置２Ａ、２Ｂの変調方式の組合せに関連する、異なる電力割当て（電力比、電力オフセット）のリスト（候補、セット）から端末装置２Ａ、２Ｂの電力割当て（電力比、電力オフセット）を選択することができる。電力割当てリストに含まれる電力割当ての候補の数は、１つまたは複数である。例えば、各変調方式の組合せに関連する電力割当てのリストは、組合せによって電力割当てリストに含まれる電力比の数が異なる。また、例えば、各変調方式の組合せに関連する電力割当てのリストは、それぞれの組合せにおいて、電力割当てリストに含まれる電力比の値が一部または全部異なる。基地局装置１Ａは、電力割当てリストのインデックスを上位層の信号または物理層の信号で端末装置２Ａに送信することができる。端末装置２Ａは、ＭＵＳＴが適用されている端末装置の変調方式の組合せ（もしくは、自身の変調方式または端末装置２Ｂの変調方式）によって電力割当てのリストを特定し、基地局装置１Ａから受信した電力割当てリストのインデックスによって、電力割当てを知ることができる。また、基地局装置１Ａは、端末装置２Ａに電力割当てを知らせることができる。このとき、端末装置２Ａは、基地局装置１Ａから受信した電力割当てによって、端末装置２Ｂの変調方式を知る（特定）することができる。なお、端末装置２Ｂの変調方式が、例えばＱＰＳＫに固定されている場合、端末装置２Ａは自身の変調方式が分かれば、変調方式の組合せが分かる。この場合、基地局装置１Ａは、変調式の組合せではなく、変調方式毎に電力割当ての設定をすることができる。
【００７７】
また、端末装置２Ａは、端末装置２Ｂの変調方式よりも小さい多値数の変調方式またはＭＣＳの場合、端末装置２Ａは、ＭＵＳＴによって送信されていないと想定して復調することができる。つまり、この場合、端末装置２Ａは干渉キャンセルを行なわない。また、端末装置２Ａは、下りリンク制御情報に含まれるＭＣＳがある特定の値を示す場合、例えば最も低いＭＣＳを示す場合、ＭＵＳＴによって送信されていないと想定して復調することができる。
【００７８】
基地局装置１Ａは、端末装置２Ａ、２ＢをＭＵＳＴで多重する際に、各端末装置に同じプリコーディングまたは異なるプリコーディングをすることができる。この場合、基地局装置１Ａは、端末装置２Ａ、２Ｂに対して同じプリコーディングする場合と異なるプリコーディングする場合で、異なる電力割当てリストを用いることができる。例えば、同じプリコーディングの場合の電力割当てリストと異なるプリコーディングの場合の電力割当てリストは、一部または全部の値が異なる。また、例えば、同じプリコーディングの場合の電力割当てリストと異なるプリコーディングの場合の電力割当てリストは、値の範囲が異なる。例えば、端末装置２Ａに割当てる電力Ｐ１と端末装置２Ｂに割当てる電力の組合せを（Ｐ１、Ｐ２）で表すとする。同じプリコーディングの電力割当てリストが、[（0.1、0.9）、（0.2、0.8）、（0.3、0.7）、（0.4、0.6）]だったとすると、異なるプリコーディングの電力割当てリストは、[（0.05、0.95）、（0.1、0.9）、（0.15、0.85）、（0.2、0.8）]のように、値の範囲を変更することができる。また、同じプリコーディングと異なるプリコーディングの場合の電力割当てリストに含まれる電力比の数が同じ場合、上記の数値例で示したように、異なる粒度の電力比を設定することができる。
【００７９】
また基地局装置１Ａは、異なるプリコーディングの場合は、電力割当てを固定とすることができる。例えば、基地局装置１Ａは、電力割当てを（0.5、0.5）とすることができる。このとき端末装置２Ａは、異なるプリコーディングでＭＵＳＴされていると判断した場合、特定の電力比（例えば（0.5、0.5））を用いて、復調することができる。また基地局装置１Ａは、端末装置２Ａに同じプリコーディングなのか、異なるプリコーディングなのかを示す情報を上位層の信号または物理層の信号で送信することができる。同じプリコーディングなのか、異なるプリコーディングなのかを示す情報は、例えば、同じ／異なるプリコーディングを示す１ビットを送信することもできるし、干渉信号のプリコーディング行列を示す情報（例えば、ＰＭＩ）を送信することもできる。また、上記特定の電力比は、端末装置２Ａと端末装置２Ｂで使用されるプリコーディングの組合せに応じて選択されても良い。
【００８０】
基地局装置１Ａは、端末装置２Ａ、２Ｂに対してＭＵＳＴで多重する場合、同じプリコーディングの場合は同じアンテナポートを用い、異なるプリコーディングの場合は異なるアンテナポートおよび／または異なるスクランブリングアイデンティティとすることができる。このとき端末装置２Ａは、基地局装置１Ａからのシグナリング等で端末装置２Ｂが割当てられているアンテナポートを知る（特定する）ことによって、同じプリコーディングか否かを判断することができる。また、端末装置２Ａは、同じプリコーディングか異なるプリコーディングかによって、受信処理を変えることができる。例えば、端末装置２Ａは、同じプリコーディングと判断した場合はＳＬＩＣやＣＷＩＣやＭＬＤのような非線形検出を行ない、異なるプリコーディングの場合はＥＭＭＳＥ−ＩＲＣのような線形検出を行なうことができる。
【００８１】
基地局装置１Ａは、端末装置２Ａに対して、レイヤ数、アンテナポート番号、スクランブリングアイデンティティを送信することができる。図２、図３、図４はアンテナポート、スクランブリングアイデンティティ、レイヤ数を示すテーブルの例であり、この例では３ビットの値（value）でアンテナポート、スクランブリングアイデンティティ、レイヤ数を示すことができる。基地局装置１Ａは、アンテナポート７／８でマルチユーザ多重する場合およびＳＵ（Single User）−ＭＩＭＯの場合に図２のテーブルを用いることができる。また基地局装置１Ａは、アンテナポート７／８／１１／１３でマルチユーザ多重する場合に図３のテーブルを用いることができる。また基地局装置１Ａは、アンテナポート７／８／１１／１３でマルチユーザ多重する場合またはＳＵ−ＭＩＭＯの場合に図４のテーブルを用いることができる。基地局装置１Ａは、図２、図３、図４のテーブルを選択して用いることができる。例えば、基地局装置１Ａは、アンテナポート７／８を用いてＭＵＳＴする場合、図２に示すテーブルを用いることができる。また基地局装置１Ａは、アンテナポート７／８／１１／１３を用いてＭＵＳＴする場合、図３、図４に示すテーブルを用いることができる。また基地局装置１Ａは、端末装置２Ａ、２Ｂに対して同じプリコーディングでＭＵＳＴする場合、図２に示すテーブルを用いることができる。また基地局装置１Ａは、端末装置２Ａ、２Ｂに対して異なるプリコーディングでＭＵＳＴする場合、図３または図４に示すテーブルを用いることができる。このとき、端末装置２Ａは、プリコーディングが同じか異なるかによって、参照するテーブルを変えることができる。また、基地局装置１Ａは、端末装置２Ａ、２ＢをＭＵＳＴする場合、端末装置２Ａには図３または図４に示すテーブルによってアンテナポート、スクランブリングアイデンティティ、レイヤ数を指示し、端末装置２Ｂには図２に示すテーブルによってアンテナポート、スクランブリングアイデンティティ、レイヤ数を指示することができる。この時、基地局装置１Ａは、図２、図３、図４のいずれかのテーブルを参照するかは端末装置２Ａのみに通知し、端末装置２Ｂは図２に示すテーブルのみを参照するように通知しても良い。また、基地局装置１Ａが端末装置２Ａに図２、図３、図４のいずれかのテーブルを使用するかを、上位層の信号でＭＵＳＴの設定（コンフィグレーション）が行なわれているかによって通知しても良いし、設定されている送信モードと関連付けられても良い。例えば、ＭＵＳＴの設定が行なわれているとは、ＭＵＳＴ情報、干渉情報、電力比等ＭＵＳＴに関連するパラメータが設定されていることを指すことができる。例えば、ＭＵＳＴの設定がされていない場合は端末装置２Ａが図２のテーブルを使用し、ＭＵＳＴの設定がされている場合は端末装置２Ａが図３または図４のテーブルを使うことができる。また、端末装置２Ａは、設定されている送信モードによって図３または図４のテーブルを切り替えることができる。また、他の情報と関連付けることも可能であり、ＭＣＳインデックスが一定値以上の場合に、図３のテーブルを使用することができる。また、ＮＤＩ（New Data Indicator）やＲＶ（Redundancy Version）と関連��けられて、図３または図４のテーブルを切り替えることができる。ＮＤＩ、ＲＶは下りリンク制御情報に含まれる。
【００８２】
基地局装置１Ａは、端末装置２Ａに対して、不定期なＣＳＩを要求するモードを設定することができる。端末装置２Ａは、設定されたモードに従って、基地局装置１ＡにＣＳＩを報告する。
【００８３】
基地局装置１Ａから不定期なＣＳＩを要求する第１のモードを端末装置２Ａに設定することができる。端末装置２Ａは、基地局装置１Ａから不定期なＣＳＩを要求する第１のモードが設定された場合に、サブバンドＰＭＩとワイドバンドＣＱＩを報告する。端末装置２Ａは、サブバンド毎に、そのサブバンドでの伝送を想定してコードブックサブセットから好適なプリコーディング行列を選択する。ワイドバンドＣＱＩは選択されたサブバンド毎のプリコーディング行列およびシステム帯域での伝送を想定して、算出される。また、端末装置はサブバンド毎に選択されたＰＭＩ（サブバンドPMI）を送信する。ただし送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、サブバンドＰＭＩとしてサブバンド毎の第１のＰＭＩおよび第２のＰＭＩを報告する。また、送信モード4/8/9/10では、報告されたＲＩに基づいてＰＭＩおよびＣＱＩ値を計算される。ＲＩを報告しない送信モードの場合、ランクは１という条件でＰＭＩとＣＱＩを計算する。
【００８４】
基地局装置１Ａから不定期なＣＳＩを要求する第２のモードを端末装置２Ａに設定することができる。端末装置２Ａは、基地局装置１Ａから不定期なＣＳＩを要求する第２のモードが設定された場合に、第１のモードで報告するＣＳＩに加え、ワイドバンドＰＭＩとワイドバンドＰＭＩの使用およびシステム帯域の伝送を想定して計算されるＣＱＩを報告する。また、第１のモードと第２のモードは同一のモードとして設定され、ワイドバンドＰＭＩを送信するか否かを上位層で基地局装置１Ａが端末装置２Ａに通知（指示）して区別することができる。
【００８５】
基地局装置１Ａから不定期なＣＳＩを要求する第３のモードを端末装置２Ａに設定することができる。端末装置２Ａは、基地局装置１Ａから不定期なＣＳＩを要求する第３のモードが設定された場合に、端末装置２Ａが選択するＭ個のサブバンドにおける好適なＰＭＩ／ＣＱＩ、ワイドバンドＰＭＩ／ＣＱＩを報告する。ただし、送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、システム帯域の伝送を想定した第１のＰＭＩおよび第２のＰＭＩ、選択されたＭ個のサブバンドに対する第２のＰＭＩを報告する。
【００８６】
基地局装置１Ａから不定期なＣＳＩを要求する第４のモードを端末装置２Ａに設定することができる。端末装置２Ａは、基地局装置１Ａから不定期なＣＳＩを要求する第４のモードが設定された場合に、第３のモードで報告するＣＳＩに加え、Ｍ個のサブバンドにおいて２番目に好適なＰＭＩおよび／または２番目に好適なワイドバンドＰＭＩを報告する。また、端末装置２Ａは、さらに、Ｍ個のサブバンドにおいて２番目に好適なＰＭＩに基づくＣＱＩ、２番目に好適なワイドバンドＰＭＩに基づくＣＱＩも報告することができる。ただし、送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、端末装置２Ａは、システム帯域の伝送を想定した２番目に好適な第１のＰＭＩおよび第２のＰＭＩ、Ｍ個のサブバンドにおいて２番目に好適な第２のＰＭＩを報告することができる。また、端末装置２Ａは、不定期なＣＳＩを要求する第４のモードが設定された場合に、第３のモードが設定された場合と比べて、サブバンドサイズを増やすことができる。つまり、端末装置２Ａは、第３のモードに比べて第４のモードでは、小さいＭの値を用いてＣＳＩを算出および報告することができる。このようにすると、ＣＳＩを報告に必要な情報量を削減できる。また、端末装置２Ａは、最も好適なＰＭＩを求める場合のサブバンド数とは異なるサブバンド数で２番目に好適なＰＭＩを求めることができる。例えば、最も好適なＰＭＩを求める場合のサブバンド数をＭとすると、端末装置２Ａは、Ｍより小さい値を用いて２番目に好適なＰＭＩを求めることができる。また、第３のモードと第４のモードは、同一のモードとして設定され、２番目に好適なＰＭＩを送信する否かを上位層で基地局装置１Ａが端末装置２Ａに通知（指示）して区別することができる。
【００８７】
基地局装置１Ａから不定期なＣＳＩを要求する第５のモードを端末装置２Ａに設定することができる。端末装置２Ａは、基地局装置１Ａから不定期なＣＳＩを要求する第５のモードが設定された場合に、サブバンドＣＱＩ、ワイドバンドＣＱＩ、ワイドバンドＰＭＩを報告する。ただし、送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、システム帯域における伝送を想定してコードブックサブセットから選択された１つのプリコーディング行列に対応する第１のＰＭＩおよび第２のＰＭＩが報告される。
【００８８】
基地局装置１Ａから不定期なＣＳＩを要求する第６のモードを端末装置２Ａに設定することができる。端末装置２Ａは、基地局装置１Ａから不定期なＣＳＩを要求する第６のモードが設定された場合に、第５のモードで報告するＣＳＩに加え、２番目に好適なワイドバンドＰＭＩおよび２番目に好適なワイドバンドＰＭＩに基づいたＣＱＩを報告することができる。また、第５のモードと第６のモードは同一のモードとして設定され、２番目に好適なＰＭＩを送信する否かを上位層で基地局装置１Ａが端末装置２Ａに通知（指示）して区別することができる。
【００８９】
基地局装置１Ａから不定期なＣＳＩを要求する第７のモードを端末装置２Ａに設定することができる。端末装置２Ａは、基地局装置１Ａから不定期なＣＳＩを要求する第７のモードが設定された場合に、ワイドバンドＣＱＩ、サブバンドＣＱＩ、サブバンドＰＭＩを報告する。ただし、送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、端末装置２Ａは、ＰＭＩとして、ワイドバンドな第１のＰＭＩとサブバンドの第２のＰＭＩを報告する。
【００９０】
基地局装置１Ａから不定期なＣＳＩを要求する第８のモードを端末装置２Ａに設定することができる。端末装置２Ａは、基地局装置１Ａから不定期なＣＳＩを要求する第８のモードが設定された場合に、第７のモードで報告するＣＳＩに加え、各サブバンドで２番目に好適なＰＭＩおよび各サブバンドで２番目に好適なＰＭＩに基づいたワイドバンドＣＱＩおよび／またはサブバンドＣＱＩを報告することができる。ただし、送信モード9/10で8 CSI-RSポートが設定された場合、もしくは、送信モード8/9/10で4Txの場合に別のコードブックが利用可能な設定（alternativeCodeBookEnabledFor4TX=TRUE）の場合、２番目に好適なワイドバンドな第１のＰＭＩと２番目に好適なサブバンドの第２のＰＭＩを報告する。また、端末装置２Ａは、基地局装置１Ａから不定期なＣＳＩを要求する第８のモードが設定された場合、第７のモードと比較して、サブバンドサイズを増やし、サブバンド数を減らすことができる。このようにすると、ＣＳＩを報告に必要な情報量を削減できる。また、第７のモードと第８のモードは同一のモードとして設定され、２番目に好適なＰＭＩを送信する否かを上位層で基地局装置１Ａが端末装置２Ａに通知（指示）して区別することができる。
【００９１】
基地局装置１Ａは、端末装置２Ａに対して、定期的なＣＳＩを要求するモードを設定することができる。定期的なＣＳＩを要求するモードの場合、端末装置２Ａは、ＲＩおよび／またはワイドバンドＣＱＩ／ＰＭＩおよび／またはサブバンドＣＱＩ／ＰＭＩを定期的に報告する。報告周期は、ＲＩ、ワイドバンドＣＱＩ／ＰＭＩ、サブバンドＣＱＩ／ＰＭＩの順に長くなる。端末装置２Ａは、設定されたＣＳＩモードに従って、基地局装置１Ａに定期的にＣＳＩを報告する。また、端末装置２Ａは、上記に加え、２番目に好適なワイドバンドＣＱＩ／ＰＭＩ、２番目に好適なサブバンドＣＱＩ／ＰＭＩを定期的に報告することができる。端末装置２Ａは、２番目に好適なＣＱＩ／ＰＭＩを、最も好適なＣＱＩ／ＰＭＩを報告した後に報告することができる。また、端末装置２Ａは、最も好適なＣＱＩ／ＰＭＩの報告周期と２番目に好適なＣＱＩ／ＰＭＩの報告周期を変えることができる。例えば、端末装置２Ａは、２番目に好適なＣＱＩ／ＰＭＩを、最も好適なＣＱＩ／ＰＭＩよりも長い報告周期で報告することができる。
【００９２】
基地局装置１Ａから定期的にＣＳＩを要求する第１のモードを端末装置２Ａに設定することができる。端末装置２Ａは、基地局装置１Ａから設定された定期的なＣＳＩを要求する第１のモードに従って、定期的にＣＳＩを報告する。ＲＩを報告するサブフレームで、端末装置２Ａは、１つのＲＩを報告する。ＲＩおよび第１のＰＭＩが報告されるサブフレームで、端末装置２Ａは、ジョイント符号化されたＲＩと第１のＰＭＩを報告する。ＣＱＩ／ＰＭＩが報告されるサブフレームにおいて、端末装置２Ａは、ワイドバンドＣＱＩ、ワイドバンドＰＭＩを報告する。ＲＩ＞１の場合、端末装置２Ａは、追加で３ビットのワイドバンドの空間的な差分ＣＱＩを報告する。ワイドバンドＣＱＩおよび第２のＰＭＩが報告されるサブフレームで、端末装置２Ａは、ワイドバンドＣＱＩ、ワイドバンドの第２のＰＭＩを報告する。ＲＩ＞１の場合、端末装置２Ａは、追加で３ビットのワイドバンドの空間的な差分ＣＱＩを報告する。ワイドバンドＣＱＩおよび第１のＰＭＩおよび第２のＰＭＩが報告されるサブフレームで、端末装置２Ａは、ワイドバンドＣＱＩ、ワイドバンドの第１のＰＭＩおよび第２のＰＭＩを報告する。ＲＩ＞１の場合、端末装置２Ａは、追加で３ビットのワイドバンドの空間的な差分ＣＱＩを報告する。
【００９３】
基地局装置１Ａから定期的にＣＳＩを要求する第２のモードを端末装置２Ａに設定することができる。端末装置２Ａは、基地局装置１Ａから設定された定期的なＣＳＩを要求する第２のモードに従って、定期的にＣＳＩを報告することができる。ＲＩを報告するサブフレームで、端末装置２Ａは、１つのＲＩを報告する。ＲＩおよび第１のＰＭＩが報告されるサブフレームで、端末装置２Ａは、ジョイント符号化されたＲＩと第１のＰＭＩを報告する。ＣＱＩ／ＰＭＩが報告されるサブフレームにおいて、端末装置２Ａは、ワイドバンドＣＱＩ、ワイドバンドＰＭＩを報告する。ＲＩ＞１の場合、端末装置２Ａは、追加で３ビットのワイドバンドの空間的な差分ＣＱＩを報告する。ワイドバンドＣＱＩおよび第２のＰＭＩが報告されるサブフレームで、端末装置２Ａは、ワイドバンドＣＱＩ、ワイドバンドの第２のＰＭＩを報告する。ＲＩ＞１の場合、端末装置２Ａは、追加で３ビットのワイドバンドの空間的な差分ＣＱＩを報告する。ワイドバンドＣＱＩおよび第１のＰＭＩおよび第２のＰＭＩが報告されるサブフレームで、端末装置２Ａは、ワイドバンドＣＱＩ、ワイドバンドの第１のＰＭＩおよび第２のＰＭＩを報告する。ＲＩ＞１の場合、端末装置２Ａは、追加で３ビットのワイドバンドの空間的な差分ＣＱＩを報告する。ＲＩおよび２番目に好適な第１のＰＭＩが報告されるサブフレームで、端末装置２Ａは、ジョイント符号化されたＲＩと２番目に好適な第１のＰＭＩを報告する。ＣＱＩ／２番目に好適なＰＭＩが報告されるサブフレームで、端末装置２Ａは、２番目に好適なワイドバンドＰＭＩおよび２番目に好適なワイドバンドプリコーディング行列に基づいて算出されるＣＱＩを報告する。ＲＩ＞１の場合、端末装置２Ａは、追加で３ビットのワイドバンドの空間的な差分ＣＱＩを報告する。ワイドバンドＣＱＩおよび２番目に好適な第２のＰＭＩが報告されるサブフレームで、端末装置２Ａは、２番目に好適なワイドバンドの第２のＰＭＩ、２番目に好適なワイドバンドの第２のＰＭＩおよび最近報告した第１のＰＭＩに基づくワイドバンドＣＱＩを報告する。ＲＩ＞１の場合、端末装置２Ａは、追加で３ビットのワイドバンドの空間的な差分ＣＱＩを報告する。
【００９４】
基地局装置１Ａから定期的にＣＳＩを要求する第３のモードを端末装置２Ａに設定することができる。端末装置２Ａは、基地局装置１Ａから設定された定期的なＣＳＩを要求する第３のモードに従って、定期的にＣＳＩを報告することができる。ＲＩを報告するサブフレームで、端末装置２Ａは、１つのＲＩ、または、１つのＲＩおよびＰＴＩを報告する。ワイドバンドＣＱＩ／ＰＭＩを報告するサブフレームで、ワイドバンドＣＱＩ、ワイドバンドＰＭＩを報告する。ＲＩ＞１の場合、端末装置２Ａは、追加で３ビットのワイドバンドの空間的な差分ＣＱＩを報告する。ワイドバンドの第１のＰＭＩを報告するサブフレームで、端末装置２Ａは、ワイドバンドの第１のＰＭＩを逐次的に報告する。ワイドバンドＣＱＩ／第２のＰＭＩを報告するサブフレームで、端末装置２Ａは、ワイドバンドＣＱＩ、ワイドバンドの第２のＰＭＩを報告する。ＲＩ＞１の場合、端末装置２Ａは、追加で３ビットのワイドバンドの空間的な差分ＣＱＩを報告する。選択されたサブバンドに対するＣＱＩを報告するサブフレームで、バンド幅パート毎のサブバンドＣＱＩを逐次的に報告する。ＲＩ＞１の場合、端末装置２Ａは、追加で３ビットのワイドバンドの空間的な差分ＣＱＩを報告する。選択されたサブバンドに対するサブバンドＣＱＩ／第２のＰＭＩを報告するサブフレームで、バンド幅パート毎のサブバンドＣＱＩおよびサブバンドの第２のＰＭＩを逐次的に報告する。ＲＩ＞１の場合、端末装置２Ａは、追加で３ビットのワイドバンドの空間的な差分ＣＱＩを報告する。
【００９５】
基地局装置１Ａから定期的にＣＳＩを要求する第４のモードを端末装置２Ａに設定することができる。端末装置２Ａは、基地局装置１Ａから設定された定期的なＣＳＩを要求する第４のモードに従って、定期的にＣＳＩを報告することができる。ＲＩを報告するサブフレームで、端末装置２Ａは、１つのＲＩ、または、１つのＲＩおよびＰＴＩを報告する。ワイドバンドＣＱＩ／ＰＭＩを報告するサブフレームで、ワイドバンドＣＱＩ、ワイドバンドＰＭＩを報告する。ＲＩ＞１の場合、端末装置２Ａは、追加で３ビットのワイドバンドの空間的な差分ＣＱＩを報告する。ワイドバンドの第１のＰＭＩを報告するサブフレームで、端末装置２Ａは、ワイドバンドの第１のＰＭＩを逐次的に報告する。ワイドバンドＣＱＩ／第２のＰＭＩを報告するサブフレームで、端末装置２Ａは、ワイドバンドＣＱＩ、ワイドバンドの第２のＰＭＩを報告する。ＲＩ＞１の場合、端末装置２Ａは、追加で３ビットのワイドバンドの空間的な差分ＣＱＩを報告する。選択されたサブバンドに対するＣＱＩを報告するサブフレームで、バンド幅パート毎のサブバンドＣＱＩを逐次的に報告する。ＲＩ＞１の場合、端末装置２Ａは、追加で３ビットのワイドバンドの空間的な差分ＣＱＩを報告する。選択されたサブバンドに対するサブバンドＣＱＩ／第２のＰＭＩを報告するサブフレームで、バンド幅パート毎のサブバンドＣＱＩおよびサブバンドの第２のＰＭＩを逐次的に報告する。ＲＩ＞１の場合、端末装置２Ａは、追加で３ビットのワイドバンドの空間的な差分ＣＱＩを報告する。ワイドバンドＣＱＩ／２番目に好適なＰＭＩを報告するサブフレームで、２番目に好適なワイドバンドＰＭＩ、２番目に好適なワイドバンドＰＭＩに基づくワイドバンドＣＱＩを報告する。ＲＩ＞１の場合、端末装置２Ａは、追加で３ビットのワイドバンドの空間的な差分ＣＱＩを報告する。２番目に好適なワイドバンドの第１のＰＭＩを報告するサブフレームで、端末装置２Ａは、２番目に好適なワイドバンドの第１のＰＭＩを報告する。ワイドバンドＣＱＩ／２番目に好適な第２のＰＭＩを報告するサブフレームで、端末装置２Ａは、２番目好適な第２のＰＭＩ、２番目に好適な第２のＰＭＩおよび最近報告された２番目に好適な第１のＰＭＩに基づいて算出されるワイドバンドＣＱＩを報告する。選択されたサブバンドに対するサブバンドＣＱＩ／２番目に好適な第２のＰＭＩを報告するサブフレームで、２番目に好適なサブバンドの第２のＰＭＩ、２番目に好適なサブバンドの第２のＰＭＩおよび最近報告された２番目に好適な第１のＰＭＩに基づいて算出されるサブバンドＣＱＩを逐次的に報告する。ＲＩ＞１の場合、端末装置２Ａは、追加で３ビットのワイドバンドの空間的な差分ＣＱＩを報告する。
【００９６】
２番目に好適なＰＭＩ／第１のＰＭＩ／第２のＰＭＩを含む報告と、２番目に好適なＰＭＩ／第１のＰＭＩ／第２のＰＭＩを含まない報告が衝突した場合、端末装置２Ａは、２番目に好適なＰＭＩ／第１のＰＭＩ／第２のＰＭＩを含まない報告を優先して報告することができる。
【００９７】
基地局装置１Ａは、２番目に好適なＰＭＩの報告を要求するか否かを示す情報を端末装置２Ａに送信することができる。このとき端末装置２Ａは、基地局装置１Ａから２番目に好適なＰＭＩの報告を要求することを示す情報を受信したと判断した場合、２番目に好適なＰＭＩを含んだＣＳＩを報告することができる。また、端末装置２Ａは、受信した制御情報から、基地局装置１Ａから２番目に好適なＰＭＩの報告を要求されていると判断した場合、２番目に好適なＰＭＩを不定期のＣＳＩ報告で報告することができる。また、基地局装置１Ａは、２番目に好適なＰＭＩの報告を要求するか否かを示す情報をＣＣ毎に設定することができる。このとき端末装置２Ａは、受信した制御情報に従って、ＣＣ毎に２番目に好適なＰＭＩの報告することができる。また、基地局装置１Ａは、２番目に好適なＰＭＩの報告を要求するか否かを示す情報を複数のＣＣで共通の設定とすることができる。このとき端末装置２Ａは、あるＣＣで受信した制御情報に従って、複数のＣＣに対して２番目に好適なＰＭＩを報告することができる。
【００９８】
基地局装置１Ａは、端末装置２Ａ、２ＢをＭＵＳＴで送信する場合、端末装置２Ａに割当てるＭＣＳのパターンを減らすことができる。ＭＣＳパターンは、ＭＣＳインデックスを等間隔に間引くこともできるし、端末装置がＣＱＩの報告に用いるＣＱＩテーブルと同様にすることもできるし、ＭＣＳインデックスの大きいもの、例えば６４ＱＡＭ／２５６ＱＡＭに対応する一部または全部のＭＣＳを削除することができる。基地局装置１Ａは、パターンを減らしたＭＣＳのビット数を減らして端末装置２Ａに送信することができる。例えば、ＭＣＳのビット数は５ビットから４ビットに減らすことができる。また基地局装置１Ａは、パターンを減らしたＭＣＳに自身のＭＣＳとは異なる情報を付加することができる。例えば、付加する情報は、端末装置２Ａと端末装置２Ｂの電力比、端末装置２ＢのＰＭＩ、端末装置２ＢのＭＣＳ、端末装置２Ｂの変調方式の一部または全部である。ＭＣＳのビット数を１ビット減らした場合、例えば、減らした１ビットは端末装置２Ａ、２Ｂの電力比を示す情報とすることができる。このとき端末装置２Ａは、基地局装置１Ａから受信した５ビットのＭＣＳから自身のＭＣＳおよび電力比を知ることができる。このようにすると、基地局装置１Ａは、ビット数を増やさずに新たな情報を送信することができるようになる。
【００９９】
図５は、本実施形態における基地局装置１Ａの構成を示す概略ブロック図である。図５に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【０１００】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１０１】
上位層処理部１０１は、端末装置の機能（UE capability）等、端末装置に関する情報を端末装置から受信する。言い換えると、端末装置は、自身の機能を基地局装置に上位層の信号で送信する。
【０１０２】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１０３】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知しても良い。
【０１０４】
また、例えば、ＭＵＳＴに対応する機能が複数ある場合、端末装置は、機能毎にサポートするかどうかを示す情報を送信することができる。例えば、ＭＵＳＴに対応する機能とは、マルチユーザ干渉（PDSCHの干渉）を除去または抑圧できる能力、アンテナポート、スクランブリングアイデンティティおよびレイヤ数を示す複数のテーブルに対応している能力、所定数のアンテナポート数に対応している能力、キャリアアグリゲーションのＣＣ数やリソースブロック数に対応している能力、所定の送信モードに対応している能力の一部または全部である。
【０１０５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥ等を生成、または上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１０６】
スケジューリング部１０１２は、物理チャネル（PDSCHおよびPUSCH）を割当てる周波数およびサブフレーム、物理チャネル（PDSCHおよびPUSCH）の符号化率および変調方式（あるいはMCS）および送信電力等を決定する。スケジューリング部１０１２は、決定した情報を制御部１０２に出力する。
【０１０７】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。
【０１０８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１０９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１１０】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１１１】
下りリンク参照信号生成部１０３３は、基地局装置１Ａを識別するための物理セル識別子（PCI、セルID）等を基に予め定められた規則で求まる、端末装置２Ａが既知の系列を下りリンク参照信号として生成する。
【０１１２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１１３】
無線送信部１０３５は、多重された変調シンボル等を逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１１４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１１５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１１６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【０１１７】
多重分離部１０４２は、無線受信部１０４１から入力された信号をＰＵＣＣＨ、ＰＵＳＣＨ、上りリンク参照信号等の信号に分離する。なお、この分離は、予め基地局装置１Ａが無線リソース制御部１０１１で決定し、各端末装置２に通知した上りリンクグラントに含まれる無線リソースの割当て情報に基づいて行なわれる。
【０１１８】
また、多重分離部１０４２は、ＰＵＣＣＨとＰＵＳＣＨの伝搬路の補償を行なう。また、多重分離部１０４２は、上りリンク参照信号を分離する。
【０１１９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１２０】
復号部１０４４は、復調されたＰＵＣＣＨとＰＵＳＣＨの符号化ビットを、予め定められた符号化方式の、予め定められた、または自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１２１】
図６は、本実施形態における端末装置２の構成を示す概略ブロック図である。図６に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１２２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２３】
上位層処理部２０１は、自端末装置がサポートしている端末装置の機能を示す情報を、送信部２０３に出力する。
【０１２４】
無線リソース制御部２０１１は、自端末装置の各種設定情報の管理をする。また、無線リソース制御部２０１１は、上りリンクの各チャネルに配置される情報を生成し、送信部２０３に出力する。
【０１２５】
無線リソース制御部２０１１は、基地局装置から送信されたＣＳＩフィードバックに関する設定情報を取得し、制御部２０２に出力する。
【０１２６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１２７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１２８】
制御部２０２は、チャネル状態情報生成部２０５が生成したＣＳＩを基地局装置に送信するように送信部２０３を制御する。
【０１２９】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１３０】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１３１】
また、無線受信部２０４１は、変換したディジタル信号からＣＰに相当する部分を除去し、ＣＰを除去した信号に対して高速フーリエ変換を行ない、周波数領域の信号を抽出する。
【０１３２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１３３】
信号検出部２０４３は、ＰＤＳＣＨ、チャネル推定値を用いて、信号検出し、上位層処理部２０１に出力する。
【０１３４】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１３５】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１３６】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１３７】
上りリンク参照信号生成部２０３３は、基地局装置１Ａを識別するための物理セル識別子（physical cell identity: PCI、Cell ID等と称される）、上りリンク参照信号を配置する帯域幅、上りリンクグラントで通知されたサイクリックシフト、ＤＭＲＳシーケンスの生成に対するパラメータの値等を基に、予め定められた規則（式）で求まる系列を生成する。
【０１３８】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１３９】
無線送信部２０３５は、多重された信号を逆高速フーリエ変換（Inverse Fast Fourier Transform: IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１４０】
なお、本発明の一態様に係る基地局装置および端末装置で動作するプログラムは、本発明の一態様に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の一態様に係る機能が実現される場合もある。
【０１４１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明の一態様に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１４２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１４３】
なお、本願発明は上述の実施形態に限定されるものではない。本願発明の端末装置は、移動局装置への適用に限定されるものではなく、屋内外に設置される据え置き型、または非可動型の電子機器、例えば、ＡＶ機器、キッチン機器、掃除・洗濯機器、空調機器、オフィス機器、自動販売機、その他生活機器等に適用出来ることは言うまでもない。
【０１４４】
以上、この発明の実施形態を、図面を参照して詳述してきたが、具体的な構成はこの実施形態に限られるものではなく、この発明の要旨を逸脱しない範囲の設計等も請求の範囲に含まれる。
【産業上の利用可能性】
【０１４５】
本発明は、基地局装置、端末装置および通信方法に用いて好適である。【０１４６】
なお、本国際出願は、２０１５年９月２５日に出願した日本国特許出願第２０１５−１８７６５９号に基づく優先権を主張するものであり、日本国特許出願第２０１５−１８７６５９号の全内容を本国際出願に援用する。
【符号の説明】
【０１４７】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2017051660.tif 000003
【図２】
2017051660.tif 000004
【図３】
2017051660.tif 000005
【図４】
2017051660.tif 000006
【図５】
2017051660.tif 000007
【図６】
2017051660.tif 000008
【国際調査報告】
2017051660.tif 000009
2017051660.tif 000010
2017051660.tif 000011
2017051660.tif 000012